(57)【要約】【課題】  使用着座時の防臭性、そして退出後においても防臭性に優れ、使用者、そして後の人に与える不快感を抑えることを可能とする。【解決手段】  ボウル面（１）近傍に脱臭装置が設けられた便器において、便器後方上部にカーテンエアー噴出装置が配置され、着座使用時並びに退出後に、脱臭装置の稼働による臭気吸込みと連動して、カーテンエアー（５）がその噴出装置の吹出し口（４１）より斜め前方に向けて吹出される。【選択図】図１
2005180092.tif 000002
【特許請求の範囲】
【請求項１】
ボウル面近傍に脱臭装置が設けられた便器において、便器後方上部にカーテンエアー噴出装置が配置され、着座使用時並びに退出後に、脱臭装置の稼働による臭気吸込みと連動して、カーテンエアーがその噴出装置の吹出し口より斜め前方に向けて吹出されることを特徴とする防臭便器装置。
【請求項２】
カーテンエアーの噴出装置は吹出しカーテンエアーの風向の変動機構を備えるとともに、人体位置の検出機構が配備され、人体位置の検知によって、カーテンエアー吹出し口からの吹出しカーテンエアーの風向が可変とされていることを特徴とする請求項１の防臭便器装置。
【請求項３】
着座使用時には人体の首筋もしくはその近傍に向けてカーテンエアーが吹出され、退出後には便器ボウル面に向けてカーテンエアーが吹出されることを特徴とする請求項２の防臭便器装置。
【発明の詳細な説明】
【技術分野】
【０００１】
この出願の発明は、ボウル面近傍の脱臭装置とともにカーテンエアーの噴出装置を備えた新しい防臭便器装置に関するものである。
【背景技術】
【０００２】
従来より、便器使用時の臭気を排除するための工夫が様々になされてきている。
【０００３】
この防臭のための工夫、改良としては、便器ボウル面近傍に臭気を吸込む脱臭装置を設けることをはじめ、脱臭を促進し、使用者に臭気が感知されることを抑えるために、エアーを吹出すようにした便器装置が知られている。たとえば、脱臭装置と同様に便器ボウル面近傍に配置した吹出し口よりエアーを噴出させて着座使用時に便器ボウル面上面をエアーで覆うようにした便器装置（特許文献１−４）や、使用者の鼻の位置と便器との間を遮断するようにトイレルーム床面と平行になるエアーカーテンを形成する設備（特許文献５−６）が提案されている。
【特許文献１】特開平３−７６９４３号公報
【特許文献２】特開平２−８０７２４号公報
【特許文献３】特開平５−３４６０３４号公報
【特許文献４】特開平６−１０３８７号公報
【特許文献５】特開平８−３０２７８８号公報
【特許文献６】特開平７−４２３８４号公報
【発明の開示】
【発明が解決しようとする課題】
【０００４】
しかしながら、従来の防臭のための工夫、改良においては、トイレルーム内での防臭にとってさらなる改善が望まれてもいた。それと言うのも、エアーによりボウル面上面を覆うようにした従来の便器装置の場合には、エアーによる遮断から漏れた臭気が使用者に感知されることを防ぐことにおいて必ずしも充分でなく、また、使用者の退出後に臭いがトイレルーム内に拡散し、後の人に不快感を与えてしまうことを防ぐことも充分ではなかったからであり、さらにまた、使用者の鼻の位置と便器の間をエアーで遮断する従来公知の設備の場合には、トイレルーム内への臭気の拡散を防ぐことは難しく、後の使用者に不快感を与えてしまうという問題があったからである。
【０００５】
そこで、この出願の発明は、以上のような従来の問題点を解消し、使用着座時の防臭性、そして退出後においての防臭性にも優れ、使用者、そして後の人に与える不快感を抑えることを可能とした、新しい便器装置を提供することを課題としている。
【課題を解決するための手段】
【０００６】
この出願の発明は、上記の課題を解決するものとして、第１には、ボウル面近傍に脱臭装置が設けられた便器において、便器後方上部にカーテンエアー噴出装置が配置され、着座使用時並びに退出後に、脱臭装置の稼働による臭気吸込みと連動して、カーテンエアーがその噴出装置の吹出し口より斜め前方に向けて吹出されることを特徴とする防臭便器装置を提供する。
【０００７】
また、この出願の発明は、上記便器装置において、カーテンエアーの噴出装置は吹出しカーテンエアーの風向の変動機構を備えているとともに、人体位置の検出機構が配備され、人体位置の検知によってカーテンエアー吹出し口からの吹出しカーテンエアーの風向が可変とされていることを特徴とする防臭便器装置を提供し、第３には、着座使用時には人体の首筋もしくはその近傍に向けてカーテンエアーが吹出され、退出後には便器ボウル面に向けてカーテンエアーが吹出されることを特徴とする防臭便器装置を提供する。
【発明の効果】
【０００８】
この出願の上記第１の発明によれば、脱臭装置と連動するカーテンエアーの斜め前方に向けての吹出しによって、着座使用時の人体の鼻と便器の遮断がより効果的に行われ、かつ退出後においてもトイレルーム内への臭気の拡散が効果的に抑えられることになる。このため、従来の便器装置や設備の問題点を解消し、使用着座時の防臭性、そして退出後においても防臭性を向上させ、使用者、そして後の人に与える不快感を抑えることが可能となる。
【０００９】
また、第２の発明によれば、人体位置の検知にともなってカーテンエアーの風向が変更可能とされるので、上記のような防臭性はより向上し、第３の発明によれば、防臭性はさらに向上されることになる。
【発明を実施するための最良の形態】
【００１０】
この出願の発明は上記のとおりの特徴をもつものであるが、以下にその実施の形態について説明する。
【００１１】
この出願の第１の発明の便器装置においては、たとえば、図１の外観斜視図並びに図２の断面概要図に例示したように、ボウル面（１）の近傍に脱臭吸込口（２１）並びに脱臭ファン（２２）等によって構成される脱臭装置が配設されているとともに、給水用のロータンク（３）等の便器後方上部に、カーテンエアー吹出し口（４１）並びにファン（４２）等によって構成されるカーテンエアー噴出装置が備えられている。第１の発明の便器装置では、このような構成において、便器の着座使用時、そして使用終了後、つまり退出後に、上記脱臭装置の稼働による臭気吸込みと連動して、カーテンエアー（５）がその噴出装置の吹出し口（４１）より、図１および図２に例示したように斜め前方、すなわち前下方に向けて吹出される。
【００１２】
脱臭装置による臭気の吸込みと連動するカーテンエアー（５）の斜め前方へ向けての吹出しによって、着座使用時の人体の肩や首筋より上方、特に人体の鼻と便器との遮断が効果的に行われるとともに、使用時並びに退出後においても、脱臭装置の稼働とカーテンエアー（５）による遮断で、トイレルーム内への臭気の拡散が抑えられることになる。
【００１３】
このような便器装置では、脱臭装置とこれに連動するカーテンエアー噴出装置の稼働と停止、さらにはカーテンエアーの吹出しのエアー強度の調節を、たとえば図２にも例示した制御装置（６）で行うことができる。そして、この制御装置（６）では、カーテンエアーの風向の変動機構を介して、たとえば吹出し口（４１）の揺動や開口調整等によってカーテンエアー（５）の吹出し風向きを可変とすることもできる。
【００１４】
このカーテンエアー（５）の風向きの変更では、たとえば着座使用時においては、人体の肩や首筋より下方において上下動させてもよいし、退出後には、主としてボウル面（１）に向けてエアーを集中させるようにしてもよい。このような風向の変更のため、便器装置には人体位置の検出機構を設け、この検出機構によって検知された人体の位置によって、たとえば簡略には着座使用時の人体を検出することで脱臭装置とカーテンエアー噴出装置の稼働を開始し、退出後には所要の時間この稼働を継続した後に停止することができる。また、着座使用時と退出後のエアーの吹出し強度や風向を変化させこともできる。あるいはさらに、着座使用者の座高を識別することで、斜め前方へ吹出すカーテンエアー（５）の吹出し角度を、たとえば図３に例示したように、成人の場合の風向（Ａ）、そして子供の場合の風向（Ｂ）のように変化させて、着座使用時には人体の首筋に向けてカーテンエアー（５）が吹出され、いずれの場合も退出後には便器ボウル面（１）に向けてカーテンエアーが吹出されるようにすることもできる。
【００１５】
このような風向きの変更は、着座使用時の便器からの臭気の遮断をさらに効果的なものとする。
【００１６】
もちろん、この出願の発明の防臭便器装置はその細部の構成において様々な態様が可能とされる。たとえばカーテンエアー噴出装置については、上記の例示のように吹出し口（４１）がロータンク（３）に配置されるだけでなく、トイレルームの壁面や、専用機器等として配設されてもよいし、また人体位置の検出機構についても、各種のセンサー、たとえば光センサーや便座における圧電センサー等が適宜に考慮されてよい。さらに、カーテンエアー噴出装置については、夏場における冷風、冬場における温風等の吹出しを可能とする冷却、加温のための手段を具備していてもよい。
【図面の簡単な説明】
【００１７】
【図１】この出願の発明の防臭便器装置を例示した外観斜視図である。
【図２】図１に対応する断面概要図である。
【図３】風向の変動を例示した断面概要図である。
【符号の説明】
【００１８】
１    ボウル面
２１    脱臭吸込み
２２    脱臭ファン
３    ロータンク
４１    カーテンエアー吹出し口
４２    ファン
５    カーテンエアー
６    制御装置
Ａ、Ｂ    風向
【図１】
2005180092.tif 000003
【図２】
2005180092.tif 000004
【図３】
2005180092.tif 000005